【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
図柄変動条件の成立があった場合に、図柄変動表示を実行可能な図柄表示手段と、
前記図柄表示手段を少なくとも制御可能な制御手段と、
先読み予告を少なくとも実行可能な先読み予告手段と、
を備えた遊技台であって、
前記制御手段は、前記図柄変動表示の実行中に前記図柄変動条件の成立があった場合に、前記図柄表示手段による図柄変動表示の開始を保留する制御が可能なものであり、
前記図柄変動表示の開始を保留していることを表す保留表示を少なくとも表示可能な保留表示手段を備え、
前記先読み予告手段は、前記先読み予告として、前記保留表示の表示態様によって行われる第一の先読み予告を実行可能とするものであり、
前記先読み予告手段は、前記先読み予告として、前記保留表示を用いずに行われる第二の先読み予告を実行可能とするものであり、
前記図柄表示手段は、大当り図柄態様が停止表示される大当り図柄変動表示を実行可能なものであり、
前記第一の先読み予告は、前記大当り図柄変動表示および大当り遊技のうちの少なくとも一方の実行に関連して終了可能なものであり、
前記先読み予告手段は、前記大当り図柄変動表示が終了した後で、前記第一の先読み予告の予告対象であった大当りを予告対象とする前記第二の先読み予告を少なくとも開始可能なものである、
ことを特徴とする遊技台。
【請求項２】
請求項１に記載の遊技台であって、
前記図柄表示手段は、前記図柄変動表示によって当否判定の結果に対応する図柄態様を停止表示するものであり、
前記先読み予告手段は、前記大当り図柄変動表示が終了した後で、前記第一の先読み予告の予告対象であった前記当否判定の結果、該第一の先読み予告の予告対象であった前記大当り図柄変動表示、及び該第一の先読み予告の予告対象であった前記大当り遊技の少なくとも一つを予告対象とする前記第二の先読み予告を実行可能なものである、
ことを特徴とする遊技台。
【請求項３】
請求項２に記載の遊技台であって、
前記大当りとなる当否判定の結果は、第一の利益を付与可能な遊技状態にするための第一の特定の当否判定結果と、該第一の利益よりも大きい第二の利益を付与可能な遊技状態にするための第二の特定の当否判定結果を含み、
前記第一の先読み予告を中止した後に前記第二の先読み予告が開始される場合に、前記大当り遊技が終了した後に行われる図柄変動表示において、前記第二の特定の当否判定結果に対応する図柄態様が停止表示される、
ことを特徴とする遊技台。
【請求項４】
請求項１から３のうちいずれか１項に記載の遊技台であって、
前記先読み予告手段は、前記大当り遊技において、前記第二の先読み予告を実行可能とするものである、
ことを特徴とする遊技台。
【請求項５】
請求項１に記載の遊技台であって、
前記図柄表示手段は、前記図柄変動表示によって当否判定の結果に対応する図柄態様を停止表示するものであり、
前記先読み予告手段は、先読み予告条件の成立があった場合に、前記先読み予告を少なくとも実行可能なものであり、
前記先読み予告条件は、前記先読み予告の対象になる当否判定の結果が大当りの当否判定結果となる場合であり、且つ予告実行条件の成立があった場合に、少なくとも成立するものである、
ことを特徴とする遊技台。
【請求項６】
請求項５に記載の遊技台であって、
前記予告実行条件は、第一の予告抽選に当選した場合に、少なくとも成立するものである、
ことを特徴とする遊技台。
【請求項７】
請求項１乃至６のうちいずれか１項に記載の遊技台であって、
前記先読み予告は、所定の確率で実行されるものである、
ことを特徴とする遊技台。
【請求項８】
請求項５に記載の遊技台であって、
前記制御手段は、当否判定を実行可能な当否判定手段を少なくとも含む第一の制御手段であり、
前記第一の制御手段からのコマンドに基づいた制御を少なくとも実行可能な第二の制御手段を備え、
前記第二の制御手段は、前記第一の制御手段とは別の１又は複数の基板により構成されており、
前記第二の制御手段は、前記先読み予告を行うかどうかを判定する判定手段を少なくとも含み、
前記先読み予告条件の成立があった場合とは、前記判定手段が前記先読み予告を行うと判定した場合のことである、
ことを特徴とする遊技台。
【請求項９】
請求項１に記載の遊技台であって、
前記制御手段は、当否判定を実行可能な当否判定手段を少なくとも含む第一の制御手段であり、
前記第一の制御手段からのコマンドに基づいた制御を少なくとも実行可能な第二の制御手段を備え、
前記第二の制御手段は、前記第一の制御手段とは別の１又は複数の基板により構成されており、
前記第二の制御手段は、前記保留表示の表示制御を少なくとも実行可能なものである、
ことを特徴とする遊技台。
【請求項１０】
請求項１乃至９のいずれか１項に記載の遊技台であって、
前記先読み予告は、複数回の図柄変動表示の実行中に、同一の態様によって行われる連続予告である、
ことを特徴とする遊技台。
【請求項１１】
請求項１乃至９のいずれか１項に記載の遊技台であって、
前記先読み予告は、複数回の図柄変動表示の実行中に継続的に行われる連続予告である、
ことを特徴とする遊技台。
【請求項１２】
請求項１０記載の遊技台であって、
前記先読み予告は、先読み消去条件の成立があった場合に消えるものである、
ことを特徴とする遊技台。
【請求項１３】
請求項１乃至１２のいずれか１項に記載の遊技台であって、
前記図柄変動条件は、始動領域に入球した場合に、少なくとも成立するものである、
ことを特徴とする遊技台。
【請求項１４】
請求項１乃至１３のいずれか１項に記載の遊技台であって、
前記先読み予告手段は、前記第一の先読み予告として、はずれを予告対象にした偽の先読み予告も実行可能であり、
前記先読み予告手段は、前記第二の先読み予告として、はずれを予告対象にした偽の先読み予告も実行可能である、
ことを特徴とする遊技台。
【手続補正２】
【補正対象書類名】明細書
【補正対象項目名】０００９
【補正方法】変更
【補正の内容】
【０００９】
上記目的を解決する本発明の遊技台は、
図柄変動条件の成立があった場合に、図柄変動表示を実行可能な図柄表示手段と、
前記図柄表示手段を少なくとも制御可能な制御手段と、
先読み予告を少なくとも実行可能な先読み予告手段と、
を備えた遊技台であって、
前記制御手段は、前記図柄変動表示の実行中に前記図柄変動条件の成立があった場合に、前記図柄表示手段による図柄変動表示の開始を保留する制御が可能なものであり、
前記図柄変動表示の開始を保留していることを表す保留表示を少なくとも表示可能な保留表示手段を備え、
前記先読み予告手段は、前記先読み予告として、前記保留表示の表示態様によって行われる第一の先読み予告を実行可能とするものであり、
前記先読み予告手段は、前記先読み予告として、前記保留表示を用いずに行われる第二の先読み予告を実行可能とするものであり、
前記図柄表示手段は、大当り図柄態様が停止表示される大当り図柄変動表示を実行可能なものであり、
前記第一の先読み予告は、前記大当り図柄変動表示および大当り遊技のうちの少なくとも一方の実行に関連して終了可能なものであり、
前記先読み予告手段は、前記大当り図柄変動表示が終了した後で、前記第一の先読み予告の予告対象であった大当りを予告対象とする前記第二の先読み予告を少なくとも開始可能なものである、
ことを特徴とする。